(57)【要約】      （修正有）【課題】  ホルダーの離脱容易にして使い勝手を良くし、外観をコンパクトに構成できる真空掃除機の延長管ロッキング装置を提供する。【解決手段】  真空掃除機の操作ハンドル１２に結合され、操作ハンドルに形成された固定ホール１２ａと対応するロッキングホール３１０が形成されたホルダー３００、及びロッキングホールを介してその内部に張り出すフック部４３０とフック部の反対側に配置されるボタン部４２０を備えてホルダーにヒンジピン５００にフック部がロッキングホールに挿入されるロッキング位置とフック部がロッキングホールから外れるロッキング解除位置に旋回自在に設けられるロッキング/解除レバー４００とを含む。ボタン部はロッキングを開放するために力の印加方向がホルダーの離脱方向と同じ方向に配される。【選択図】      図３
2004209223.tif 000002
【特許請求の範囲】
【請求項１】
真空掃除機の操作ハンドルに選択的に結合される延長管を着脱自在に支持する延長管ロッキング装置であって、
前記操作ハンドルに結合され、一側には前記操作ハンドルに形成された固定ホールと対応するロッキングホールが形成されたホルダーと、
前記ロッキングホールを介してその内部に張り出すフック部と該フック部の反対側に配されるボタン部を備えて、前記ホルダーにヒンジピンで前記フック部がロッキングホールに挿入されるロッキング位置と、前記フック部がロッキングホールから外れるロッキング解除位置に旋回自在に設けられるロッキング／解除レバーと、を含むことを特徴とする真空掃除機の延長管ロッキング装置。
【請求項２】
前記ボタン部は、ロッキングを解除するために力を加える方向が前記ホルダーの離脱方向と同じ方向になるよう配されることを特徴とする請求項１に記載の真空掃除機の延長管ロッキング装置。
【請求項３】
前記ボタン部及びフック部は、前記ヒンジピンの反対方向に置かれることを特徴とする請求項１または２に記載の真空掃除機の延長管ロッキング装置。
【請求項４】
前記ロッキング／解除レバーには、そのボディ部の両側に前記ホルダーの外周に弾力的に接する弾力部が備えられ、前記ロッキング／解除レバーが常にロッキング位置を維持することを特徴とする請求項１または２に記載の真空掃除機の延長管ロッキング装置。
【発明の詳細な説明】
【技術分野】
【０００１】
本発明は真空掃除機の延長管ロッキング装置に関する。
【背景技術】
【０００２】
一般の真空掃除機は図１に示した通り、真空発生装置などのような主要品が装着される掃除機本体１０、掃除機本体１０に連結されるフレキシブルホース１１を備える操作ハンドル１２、操作ハンドル１２に連結される延長管１３、延長管１３の端部に連結される吸込ブラシ１４及び操作ハンドル１２と延長管１３を着脱自在に支持する延長管ロッキング装置１５などを備える。
【０００３】
延長管ロッキング装置１５は、図１のような吸込ブラシ１４と間隙掃除などのために提供される多数個の補助ブラシ(図示せず)を被掃除面に応じて取り替えて掃除できるよう、操作ハンドル１２と延長管１３との結合状態を維持させると共に、容易に離脱させうるよう構成されている。
【０００４】
図２は従来の真空掃除機の延長管ロッキング装置を示す一部切開断面図である。図２に示した通り、従来の真空掃除機の延長管ロッキング装置は、操作ハンドル１２に結合されるホルダー３０及びホルダー３０の操作ハンドル１２に対する結合をロッキングまたは解除するロッキング／解除レバー４０を備える。
【０００５】
ホルダー３０は中空のパイプ状で構成され、操作ハンドル１２に形成された固定ホール１２ａと対応するロッキングホール３１及びロッキングホール３１の後方部に突設された支持部３２を備える。このようなホルダー３０の操作ハンドル１２の連結部の反対側には延長管１３(図１参照)が連結される。
【０００６】
ロッキング／解除レバー４０は、ホルダー３０を外部を包むレバーボディ部４１の一側にボタン部４２がホルダー３０との間に所定の空間部が形成されるよう一体に形成される。そして、レバーボディ部４１の他端部の内側にはホルダー３０のロッキングホール３１を介してその内部に張り出すフック部４３が形成され、フック部４３とボタン部４２との間にはホルダー３０の支持部３２に支えられる作動突起４４が形成される。
【０００７】
前述したように構成された一般の真空掃除機の延長管ロッキング装置は、ロッキング／解除レバー４０が作動突起４４を中心にシーソ運動を行うことによって、そのフック部４３がホルダー３０のロッキングホール３１に張り出しながらホルダー３０の操作ハンドル１２に対する結合をロッキングまたは解除する。
【０００８】
初期、すなわちボタン部４２に外力が加わらない状態でロッキング／解除レバー４０は、そのボディ部４１の自体弾性によって図２に示したような状態、すなわちそのフック部４３がホルダー３０のロッキングホール３１に挿入された状態を維持する。この際、フック部４３はロッキングホール３１を通して操作ハンドル１２の固定ホール１２ａに挿入されるため、ホルダー３０の結合状態がロッキングされる。
【０００９】
一方、ボタン部４２を押すと、ロッキング／解除レバー４０が作動突起４４を中心に図面において時計方向に回転するにつれ、そのフック部４３がホルダー３０のロッキングホール３１から離脱されロッキングが解除されてこの際ホルダー３０を示した矢印Ａ方向に移動させホルダー３０を操作ハンドル１２から取外す。
【００１０】
ホルダー３０を取外した後ボタン部４２の外力を取除けば、レバーボディ部４１の自体弾性によってロッキング/解除レバー４０が作動突起４４を中心に反時計方向に回転しつつ初期状態に戻る。
【００１１】
そして、ホルダー３０を再び操作ハンドル１２に示された矢印Ｂ方向に挟み込めば、ロッキング/解除レバー４０のフック部４３がホルダー３０のロッキングホール３１から瞬間的に外れてから操作ハンドル１２の固定ホール１２ａと一致する地点でホルダー３０のロッキングホール３１を通して操作ハンドル１２の固定ホール１２ａに挿入されながらホルダー３０の結合をロッキングする。
【００１２】
しかし、前述したような従来の真空掃除機の延長管ロッキング装置は、作動突起４４を挟んでボタン部４２とフック部４３が位置し、特にホルダー３０の離脱方向(矢印Ａ方向)の反対側にロッキング/解除レバー４０のボタン部４２が位置するため、ボタン部４２を押す時、力を要するだけではなく、ホルダー３０の結合方向(矢印Ｂ方向)への力が発生してホルダーの離脱が難しくなる問題点があった。
【００１３】
また、従来の真空掃除機の延長管ロッキング装置は、ロッキング/解除レバー４０が作動突起４４を中心にシーソ運動しつつ、ホルダーをロッキング及び解除するよう構成されることによって広い空間を要しその外観が大きくなることを避けられなかった。
【発明の開示】
【発明が解決しようとする課題】
【００１４】
本発明は前述したような問題点を解決するために案出されたもので、その目的はホルダーの離脱が容易なので使い勝手が良く、また部品が占める空間が狭くて外観をコンパクトに構成できる真空掃除機の延長管ロッキング装置を提供することにある。
【課題を解決するための手段】
【００１５】
前述した目的を達成するための本発明に係る真空掃除機の延長管ロッキング装置は、真空掃除機の操作ハンドルに結合され、一側には前記操作ハンドルに形成された固定ホールと対応するロッキングホールが形成されたホルダー、及び前記ロッキングホールを介してその内部に張り出すフック部と該フック部の反対側に配されるボタン部を備えて前記ホルダーにヒンジピンで前記フック部がロッキングホールに挿入されるロッキング位置と前記フック部がロッキングホールから外れるロッキング解除位置に旋回自在に設けられるロッキング／解除レバーを含む。
【００１６】
本発明の望ましい実施例によれば、前記ボタン部はロッキングを解除するために力を加える方向が前記ホルダーの離脱方向と同じ方向になるよう配される。
【００１７】
また、前記ボタン部及びフック部は前記ヒンジピンの反対方向に置かれる。
【００１８】
そして、前記ロッキング／解除レバーにはそのボディ部の両側に前記ホルダーの外周に弾力的に接する弾力部が備えられて前記ロッキング／解除レバーが常にロッキング位置を維持するよう構成される。
【発明の効果】
【００１９】
本発明に係る真空掃除機の延長管ロッキング装置は、ボタン部とフック部がヒンジピンの反対方向に位置され旋回運動する構造を有し、特にボタン部がホルダー離脱方向と同じ方向に配置されているため、ホルダーの離脱が容易になされる。よって、掃除機の使い勝手を良くすることができる。
【００２０】
また、ヒンジピンを中心に旋回運動する構造を有するので動作がきっちり行われ、従来に比べて部品が占める空間を縮めて外観をコンパクトに構成することができる。
【００２１】
つまり、本発明によれば、使用者の好みにおいて極めて満足すべき真空掃除機を提供できて製品の競争力をさらに高められる。
【発明を実施するための最良の形態】
【００２２】
以下、添付した図面に基づき本発明の望ましい実施例を詳述する。
【００２３】
図３は本発明の一実施例による真空掃除機の延長管ロッキング装置を示す分解斜視図であり、図４は図３の組立断面図であって、図５は図４のV−V線に沿って取った断面図である。
【００２４】
図３ないし図５に示した通り、本発明の一実施例による真空掃除機の延長管ロッキング装置は、操作ハンドル１２に結合されるホルダー３００及びホルダー３００の操作ハンドル１２に対する結合をロッキングまたは解除するロッキング／解除レバー４００を備える。
【００２５】
ホルダー３００は中空パイプ状で構成され、操作ハンドル１２に形成された固定ホール１２ａと対応するロッキングホール３１０を備える。このようなホルダー３００の操作ハンドル１２の連結部の反対側には延長管(図示せず)が連結される。
【００２６】
ロッキング／解除レバー４００は、ホルダー３００の外部を包むレバーボディ部４１０の一側にボタン部４２０がホルダー３００の間に所定の空間部が形成されるよう一体に形成され、レバーボディ部４１０の他側にはホルダー３００のロッキングホール３１０を通してその内部に張り出すフック部４３０が形成される。ボタン部４２０とフック部４３０は、レバーボディ部４１０から反対方向に位置するよう配置される。また、ロッキング／解除レバー４００は、一対のヒンジピン５００によってホルダー３００にそのフック部４３０がホルダー３００のロッキングホール３１０に挿入されるロッキング位置とフック部４３０がホルダー３００のロッキングホール３１０から外れるロッキング解除位置に旋回するよう設けられる。ヒンジピン５００はボタン部４２０及びフック部４３０の反対側に配置され、特にボタン部４２０はホルダー３００の離脱方向(矢印Ａ方向)と同じ方向に配置される。また、レバーボディ部４１０の両側にはホルダー３００の外周に弾力的に接する弾力部４４０が具備され、これによりロッキング／解除レバー４００は初期状態、すなわちそれのフック部４３０がホルダー３００のロッキングホール３１０に挿入されるロッキング状態を常に維持することができる。
【００２７】
前述したように構成される本発明に係る真空掃除機の延長管ロッキング装置は、ロッキング／解除レバー４００がヒンジピン５００を中心に旋回することによってそのフック部４３０がホルダー３００のロッキングホール３１０に張り出しながらホルダー３００の操作ハンドル１２に対する結合をロッキングまたは解除する。
【００２８】
初期、すなわちボタン部４２０に外力が加わらない状態でロッキング／解除レバー４００は、そのボディ部４１０に形成された弾力部４４０によって図４に示したような状態、すなわちそのフック部４３０がホルダー３００のロッキングホール３１０に挿入された状態を維持する。この際、フック部４３０はロッキングホール３１０を通して操作ハンドル１２の固定ホール１２ａに挿入されるため、ホルダー３００の結合状態がロッキングされる。
【００２９】
一方、ボタン部４２０を押すと、ロッキング／解除レバー４００がヒンジピン５００を中心に図において反時計方向に回転することによってそのフック部４３０がホルダー３００のロッキングホール３１０から離脱されロッキングが解除され、この際、ホルダー３００を示した矢印Ａ方向に移動させホルダー３００を操作ハンドル１２から取り外す。この際、ボタン部４２０とフック部４３０がヒンジピン５００と反対方向に置かれ、特にボタン部４２０がホルダー３００の離脱方向と同じ方向に位置されているため、ホルダー３００の離脱が容易になされる。
【００３０】
ホルダー３００を取り外した後、ボタン部４２０の外力を取除けば、レバーボディ部４１０の弾力部４４０の弾力によってロッキング／解除レバー４００がヒンジピン５００を中心に時計方向に回転しつつ初期状態、すなわちそのフック部４３０がホルダー３００のロッキングホール３１０に挿入されるロッキング位置に戻る。
【００３１】
そして、ホルダー３００を再び操作ハンドル１２に示された矢印Ｂ方向に挟み込めば、ロッキング／解除レバー４００のフック部４３０がホルダー３００のロッキングホール３１０から瞬間的に外れてから操作ハンドル１２の固定ホール１２ａと一致する地点でホルダー３００のロッキングホール３１０を通して操作ハンドル１２の固定ホール１２ａに挿入されながらホルダー３００の結合をロッキングする。
【００３２】
以上、本発明を本発明の原理を例示するための望ましい実施例と関連して示しかつ説明したが、本発明はそのように示しかつ説明されたそのままの構成及び作用に限られない。すなわち、本発明の属する技術分野において通常の知識を持つものならば、特許請求の範囲の思想及び範疇を逸脱せず本発明に対する変更及び修正が可能であることが良く理解できよう。従って、そのような全ての適切な変更及び修正と均等物も本発明の範囲に属することと見做されるべきである。
【図面の簡単な説明】
【００３３】
【図１】一般の真空掃除機を示す斜視図である。
【図２】従来の真空掃除機の延長管ロッキング装置を示す一部切開断面図である。
【図３】本発明の一実施例による真空掃除機の延長管ロッキング装置を示す分解斜視図である。
【図４】図３の組立図である。
【図５】図４のV−V線に沿って取った断面図である。
【符号の説明】
【００３４】
１２    操作ハンドル
１２ａ  固定ホール
３００  ホルダー
３１０  ロッキングホール
４００  ロッキング／解除レバー
４１０  レバーボディ部
４２０  ボタン部
４３０  フック部
４４０  弾力部
５００  ヒンジピン
【図１】
2004209223.tif 000003
【図２】
2004209223.tif 000004
【図３】
2004209223.tif 000005
【図４】
2004209223.tif 000006
【図５】
2004209223.tif 000007